Podtech/llm-jp-corpus-v4-ja_patent huggingface dataset:
【手続補正書】
【提出日】平成17年12月7日(2005.12.7)
【手続補正１】
【補正対象書類名】明細書
【補正対象項目名】特許請求の範囲
【補正方法】変更
【補正の内容】
【特許請求の範囲】
【請求項１】
車両のステアリングシャフトに組込み、雄軸と雌軸をトルク伝達可能に且つ軸方向に相対移動可能に嵌合した車両ステアリング用伸縮軸において、
前記雄軸の外周面と前記雌軸の内周面とに夫々形成した少なくとも一対の軸方向溝の間に、前記両軸の軸方向相対移動の際に転動する球状体を配置し、
前記雄軸側又は雌軸側の軸方向溝と、前記球状体との間に、前記球状体を介して前記雄軸と前記雌軸とに予圧を与える弾性体を介装し、
前記球状体が転動する前記雄軸側又は雌軸側の軸方向溝の横断面の曲率半径を、前記球状体の直径の５５％以下としたことを特徴とする車両ステアリング用伸縮軸。
【請求項２】
前記雄軸の外周面と前記雌軸の内周面とに夫々形成した他の少なくとも一対の軸方向溝の間に、前記両軸の軸方向相対移動の際に摺動する円柱体を配置したことを特徴とする請求項１に記載の車両ステアリング用伸縮軸。
【手続補正２】
【補正対象書類名】明細書
【補正対象項目名】００１４
【補正方法】変更
【補正の内容】
【００１４】
【課題を解決するための手段】
上記の目的を達成するため、本発明の請求項１に係る車両ステアリング用伸縮軸は、車両のステアリングシャフトに組込み、雄軸と雌軸をトルク伝達可能に且つ軸方向に相対移動可能に嵌合した車両ステアリング用伸縮軸において、
前記雄軸の外周面と前記雌軸の内周面とに夫々形成した少なくとも一対の軸方向溝の間に、前記両軸の軸方向相対移動の際に転動する球状体を配置し、
前記雄軸側又は雌軸側の軸方向溝と、前記球状体との間に、前記球状体を介して前記雄軸と前記雌軸とに予圧を与える弾性体を介装し、
前記球状体が転動する前記雄軸側又は雌軸側の軸方向溝の横断面の曲率半径を、前記球状体の直径の５５％以下としたことを特徴とする。
【手続補正書】
【提出日】平成18年10月30日(2006.10.30)
【手続補正１】
【補正対象書類名】明細書
【補正対象項目名】発明の名称
【補正方法】変更
【補正の内容】
【発明の名称】洗浄方法
【手続補正２】
【補正対象書類名】明細書
【補正対象項目名】特許請求の範囲
【補正方法】変更
【補正の内容】
【特許請求の範囲】
【請求項１】チオエポキシ系プラスチック原料が付着した治具を、テトラヒドロフランからなる洗浄用溶剤で洗浄することを特徴とする洗浄方法。
【請求項２】前記チオエポキシ系プラスチック原料が付着した治具を、前記テトラヒドロフランからなる洗浄用溶剤に浸漬することを特徴とする請求項１記載の洗浄方法。
【請求項３】前記チオエポキシ系プラスチック原料が付着した治具に、前記テトラヒドロフランからなる洗浄用溶剤を掛け流し洗浄することを特徴とする請求項１記載の洗浄方法。
【請求項４】前記チオエポキシ系プラスチック原料が付着した治具を、前記テトラヒドロフランからなる洗浄用溶剤を染込ませたウエス等で拭き取りを行うことを特徴とする請求項１記載の洗浄方法。
【手続補正３】
【補正対象書類名】明細書
【補正対象項目名】００１４
【補正方法】変更
【補正の内容】
【００１４】
請求項１記載の発明は、チオエポキシ系プラスチック原料が付着した治具を、テトラヒドロフランからなる洗浄用溶剤で洗浄することを特徴とする洗浄方法を提供する。
【手続補正４】
【補正対象書類名】明細書
【補正対象項目名】００１５
【補正方法】変更
【補正の内容】
【００１５】
請求項２記載の発明は、前記チオエポキシ系プラスチック原料が付着した治具を、前記テトラヒドロフランからなる洗浄用溶剤に浸漬することを特徴とする請求項１記載の洗浄方法を提供する。
【手続補正５】
【補正対象書類名】明細書
【補正対象項目名】００１６
【補正方法】変更
【補正の内容】
【００１６】
請求項３記載の発明は、前記チオエポキシ系プラスチック原料が付着した治具に、前記テトラヒドロフランからなる洗浄用溶剤を掛け流し洗浄することを特徴とする請求項１記載の洗浄方法を提供する。
【手続補正６】
【補正対象書類名】明細書
【補正対象項目名】００１７
【補正方法】変更
【補正の内容】
【００１７】
請求項４記載の発明は、前記チオエポキシ系プラスチック原料が付着した治具を、前記テトラヒドロフランからなる洗浄用溶剤を染込ませたウエス等で拭き取りを行うことを特徴とする請求項１記載の洗浄方法を提供する。
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正書】
【提出日】平成17年12月7日(2005.12.7)
【手続補正１】
【補正対象書類名】明細書
【補正対象項目名】請求項１
【補正方法】変更
【補正の内容】
【請求項１】  調製装置に原料を投入してバッチ毎に調製を行い、調製したものを次工程に供給するバッチ調製方法において、
前記調製装置の特性から特定される１バッチ当たりの最大調製量Ｍmax と最小調製量Ｍmin と、前記最大調製量Ｍmax 及び最小調製量Ｍmin の間で設定した標準調製量Ｍstとを用いて、前記次工程における必要調製量Ａから各バッチの実際の調製量Ｂを決定して調製を行い、
前記実際の調製量Ｂの決定は、
必要調製量Ａが標準調製量Ｍstの２倍より大きいときには、実際の調製量ＢをＭstとし、
必要調製量Ａが標準調製量Ｍstの２倍と最大調製量Ｍmax との間にあるときに、実際の調製量ＢをＡ／２とし、
必要調製量Ａが最大調製量Ｍmax と最小調製量Ｍmin との間にあるときに、実際の調製量ＢをＡとし、
必要調製量Ａが最小調製量Ｍmin より小さいときに、実際の調製量ＢをＭmin とすることを特徴とするバッチ調製方法。
【手続補正２】
【補正対象書類名】明細書
【補正対象項目名】００１１
【補正方法】変更
【補正の内容】
【００１１】
【課題を解決するための手段】
上記目的を達成するために、請求項１記載の発明では、調製装置に原料を投入してバッチ毎に調製を行い、調製したものを次工程に供給するバッチ調製方法において、前記調製装置の特性から特定される１バッチ当たりの最大調製量Ｍmax と最小調製量Ｍmin と、前記最大調製量Ｍmax 及び最小調製量Ｍmin の間で設定した標準調製量Ｍstとを用いて、前記次工程における必要調製量Ａから各バッチの実際の調製量Ｂを決定して調製を行い、前記実際の調製量Ｂの決定は、必要調製量Ａが標準調製量Ｍstの２倍より大きいときには、実際の調製量ＢをＭstとし、必要調製量Ａが標準調製量Ｍstの２倍と最大調製量Ｍmax との間にあるときに、実際の調製量ＢをＡ／２とし、必要調製量Ａが最大調製量Ｍmax と最小調製量Ｍmin との間にあるときに、実際の調製量ＢをＡとし、必要調製量Ａが最小調製量Ｍmin より小さいときに、実際の調製量ＢをＭmin としている。
【手続補正３】
【補正対象書類名】明細書
【補正対象項目名】００２１
【補正方法】変更
【補正の内容】
【００２１】
受液タンク２４に送られた溶融液２５は、送液ライン２６を介して塗布装置２７に送られる。塗布装置２７は、例えば押出し型塗布ヘッドを備えており、支持体に溶融液２５を所定の厚さで塗布する。なお、各送液ライン２３，２６には、必要に応じて、周知のギヤポンプ、スネークポンプ、ロータリーポンプ、無脈動型２連ダイヤフラムポンプなどのポンプや、脱泡装置、流量調整装置などが設けられる。
【手続補正４】
【補正対象書類名】明細書
【補正対象項目名】００２２
【補正方法】変更
【補正の内容】
【００２２】
制御装置３０は、恒温槽２０の加熱媒体の温度及び流量と、攪拌装置１３のモータ１３ａの回転速度とを調節して、ゲル状物質１５の溶解を制御するとともに、感光材料製造ラインにおける次工程である塗布工程の必要調製量Ａに基づき、通常のバッチ調製か終了時バッチ調製かを選択する。通常のバッチ調製では、溶融タンク１０の最大調製量Ｍmax よりも小さく設定された標準調製量Ｍstとなるバッチ調製を行う。また、必要調製量Ａが標準調製量Ｍstの２倍未満になると、この必要調製量Ａから終了直前の各バッチの実際の調製量Ｂを決定する。
【手続補正書】
【提出日】平成17年12月7日(2005.12.7)
【手続補正１】
【補正対象書類名】明細書
【補正対象項目名】特許請求の範囲
【補正方法】変更
【補正の内容】
【特許請求の範囲】
【請求項１】
側面に一または複数の開口を有する弁ガイドに、側面に一または複数の開口を有する弁体を内装して、弁体に連結された操作部を回転させることで前記弁体を回転させて、前記弁体の開口と前記弁ガイドの開口とを重ね合わせたり、ずらしたりすることで通水・止水を行なうシリンダ弁であって、
弁体内周部に整流手段を設け、前記弁体内周部には、前記整流手段を経由する流路と、前記整流手段を経由しない流路を併設したことを特徴とするシリンダ弁。
【請求項２】
側面に流入口および流出口である二以上の開口を有する弁ガイドに、この弁ガイドの開口に対応して側面に二以上の開口を有する弁体を内装して、前記弁体に連結された操作部を回転させることで前記弁体を回転させて、弁体の開口と弁ガイドの開口とを重ね合わせたり、ずらしたりすることで通水・止水を行なうシリンダ弁であって、
弁体内周部に整流手段を設け、前記弁ガイドおよび前記弁体の開口配置を、止水時に、流入口側開口が流出口側開口より早く、または同時に絞られる配置としたことを特徴とするシリンダ弁。
【請求項３】
側面に一または複数の開口を有する弁ガイドに、側面に一または複数の開口を有する弁体を内装して、前記弁体に連結された操作部を回転させることで前記弁体を回転させて、前記弁体の開口と前記弁ガイドの開口とを重ね合わせたり、ずらしたりすることで通水・止水を行なうシリンダ弁であって、
前記弁ガイドの開口部の形状を、主流路、およびこの主流路側面の複数の小開口からなる副流路から構成したことを特徴とするシリンダ弁。
【手続補正２】
【補正対象書類名】明細書
【補正対象項目名】０００８
【補正方法】変更
【補正の内容】
【０００８】
【課題を解決するための手段】
上記課題を解決すべく、本発明の請求項１では、側面に一または複数の開口を有する弁ガイドに、側面に一または複数の開口を有する弁体を内装して、弁体に連結された操作部を回転させることで前記弁体を回転させて、前記弁体の開口と前記弁ガイドの開口とを重ね合わせたり、ずらしたりすることで通水・止水を行なうシリンダ弁であって、
弁体内周部に整流手段を設け、前記弁体内周部には、前記整流手段を経由する流路と、前記整流手段を経由しない流路を併設したことを特徴とするシリンダ弁とした。
【手続補正３】
【補正対象書類名】明細書
【補正対象項目名】００１０
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】変更
【補正の内容】
【００１６】
本発明の請求項２では、側面に流入口および流出口である二以上の開口を有する弁ガイドに、この弁ガイドの開口に対応して側面に二以上の開口を有する弁体を内装して、前記弁体に連結された操作部を回転させることで前記弁体を回転させて、弁体の開口と弁ガイドの開口とを重ね合わせたり、ずらしたりすることで通水・止水を行なうシリンダ弁であって、
弁体内周部に整流手段を設け、前記弁ガイドおよび前記弁体の開口配置を、止水時に、流入口側開口が流出口側開口より早く、または同時に絞られる配置としたことを特徴とするシリンダ弁とした。
【手続補正９】
【補正対象書類名】明細書
【補正対象項目名】００１８
【補正方法】変更
【補正の内容】
【００１８】
本発明の請求項３では、側面に一または複数の開口を有する弁ガイドに、側面に一または複数の開口を有する弁体を内装して、前記弁体に連結された操作部を回転させることで前記弁体を回転させて、前記弁体の開口と前記弁ガイドの開口とを重ね合わせたり、ずらしたりすることで通水・止水を行なうシリンダ弁であって、
前記弁ガイドの開口部の形状を、主流路、およびこの主流路側面の複数の小開口からなる副流路から構成したことを特徴とするシリンダ弁とした。
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正書】
【提出日】平成18年10月6日(2006.10.6)
【手続補正１】
【補正対象書類名】特許請求の範囲
【補正対象項目名】全文
【補正方法】変更
【補正の内容】
【特許請求の範囲】
【請求項１】
エンジン（２８）のファンダクト（２６）を貫通して延びかつ該ファンダクト（２６）の内側に配置された可変静翼ベルクランク（３０）を該ファンダクト（２６）の外側に配置されたアクチュエータ（３２）に結合するトルクチューブ（５０）を、アクセス孔（２４）内に回転可能に支持する、ガスタービンエンジン（２８）内で用いられる軸受組立体（８０）と圧縮機ケースとを有するガスタービンエンジン（２８）であって、
前記トルクチューブ（５０）上に取付けられるようになっている、球状外部係合面（６２）を有する軸受部（６０）と、
前記アクセス孔（２４）に隣接して前記ファンダクト（２６）上に取付けられるようになっているフランジ（８２）と、内端縁（７４）及び外端縁（７６）を有しかつ前記軸受部（６０）の前記球状外部係合面（６２）を回転可能に受けるような寸法と形状にされた環状内面（７２）とを有するハウジング（７０）と、
を含み、
前記球状係合面（６２）及び前記環状内面（７２）が、該内面（７２）の前記内端縁（７４）と前記外端縁（７６）との間に位置する接触平面（１０２）上に中心をもつ環状接触区域（１００）に沿って、接触するようになっており、
接触平面（１０２）は、前記フランジ（８２）及び該フランジが配設される前記ファンダクトの表面に対して５度より大きい角度（１０４）で傾斜しており、これにより、軸受組立体（８０）は、トルクチューブ（５０）がその長手方向軸線（５６）を中心に回転してエンジン（２８）の作動時における前記圧縮機ケース（３６）とファンダクト（２６）との間の膨張差を吸収することを可能にする
ことを特徴とするガスタービンエンジン（２８）。
【請求項２】
前記接触平面（１０２）が傾斜する前記角度（１０４）は、約１０度より大きいことを特徴とする、請求項１に記載のガスタービンエンジン（２８）。
【請求項３】
前記ハウジング（７０）の前記環状内面（７２）が、前記軸受部（６０）を該ハウジング（７０）内に装入するための逃げ部分（９０）を含むことを特徴とする、請求項１に記載のガスタービンエンジン（２８）。
【請求項４】
前記ハウジング（７０）は、前記フランジ（８２）が前記ファンダクト（２６）上に取付けられるときに前記アクセス孔（２４）に係合するためのラベット面（８６）を含むことを特徴とする、請求項１に記載のガスタービンエンジン（２８）。
【請求項５】
前記ハウジングフランジ（８２）の一部分は、該フランジ（８２）が前記ファンダクト（２６）上に取付けられたときに前記ハウジング（７０）の前記内面（７２）の外側に位置し、また前記ハウジングフランジ（８２）の一部分は、該フランジ（８２）が前記ファンダクト（２６）上に取付けられたときに前記ハウジング（７０）の前記内面（７２）の内側に位置していることを特徴とする、請求項１に記載のガスタービンエンジン（２８）。
【請求項６】
前記トルクチューブ軸線（５６）が、前記フランジ（８２）から測定された８５度より小さい角度（１０６）で延びている、
ことを特徴とする、請求項１に記載のガスタービンエンジン（２８）。
【請求項７】
前記トルクチューブ軸線（５６）が延びている前記角度（１０６）は、約８０度より小さいことを特徴とする、請求項１に記載のガスタービンエンジン（２８）。
【請求項８】
前記トルクチューブ軸線（５６）が、前記エンジン（２８）の少なくとも１つの定常状態出力設定時に前記ハウジング（７０）の前記内面（７２）の前記外端縁に対して垂直に延びていることを特徴とする、請求項１に記載のガスタービンエンジン（２８）。
【請求項９】
前記ハウジング（７０）の前記環状内面（７２）が、前記軸受部（６０）を前記ハウジング（７０）内に装入するための逃げ部分（９０）を含むことを特徴とする、請求項１に記載のガスタービンエンジン（２８）。
【請求項１０】
前記逃げ部分（９０）は、前記ハウジング（７０）の前記フランジ（８２）が前記ファンダクト（２６）上に取付けられるときに内向きに面していることを特徴とする、請求項１に記載のガスタービンエンジン（２８）。
【手続補正２】
【補正対象書類名】明細書
【補正対象項目名】０００４
【補正方法】変更
【補正の内容】
【０００４】
一部の従来型の可変静翼トルクチューブ組立体は、エンジン作動時の予測されるトルクチューブ傾斜角度に一致するように傾斜させたハウジングを有する。図１は、そのような従来型の可変静翼トルクチューブ組立体の１つに用いられている軸受組立体の断面図を示す。この軸受組立体は、約４度より小さい角度で傾斜したハウジングを含む。しかしながら、一部の事例では、トルクチューブは、定常状態エンジン作動時に１３度又はそれ以上もの角度だけ後方に傾斜する。トルクチューブがハウジングに対して或る角度で配置されている場合には、エンジン作動時に軸受組立体内に生じる非対称な荷重は、時として軸受組立体の早期損傷を発生させていた。
【特許文献１】米国特許３３１４５９５号明細書
【特許文献２】米国特許３７１９４２７号明細書
【特許文献３】米国特許３７７９６６５号明細書
【特許文献４】米国特許４４３００４３号明細書
【特許文献５】米国特許４７５５１０４号明細書
【特許文献６】米国特許５１９０４３９号明細書
【特許文献７】米国特許５２２８８２８号明細書
【特許文献８】米国特許５５４９４４８号明細書
【特許文献９】米国特許５９９３１５２号明細書
【特許文献１０】米国特許６４７１４７１号明細書
【手続補正書】
【提出日】平成17年12月7日(2005.12.7)
【手続補正１】
【補正対象書類名】明細書
【補正対象項目名】請求項１
【補正方法】変更
【補正の内容】
【請求項１】  金源としてシアン化合物を含まない無電解金めっき液であって、一般式（１）
【化１】
2004190075.tif 000001
式中、Ｒ１〜Ｒ４は、水素原子、置換基を有していてもよい炭素原子数１〜１０のアルキル基、置換基を有していてもよい炭素原子数６〜１０のアリール基、置換基を有していてもよい炭素原子数１〜１０のアルコキシ基、アミノ基(−ＮＨ２)、水酸基（−ＯＨ）、＝Ｏ、ハロゲン原子であり、
Ｒ２及びＲ３もしくはＲ３及びＲ４は互いに架橋して飽和環または不飽和環を形成してもよく、該飽和環又は不飽和環は、酸素原子、又は式−Ｎ（Ｒ５）−で示される基（式中、Ｒ５は、水素原子又は炭素原子数１〜１０のアルキル基である）で中断されていてもよく、
前記各置換基は、ハロゲン原子、シアノ基であり、
【外１】
2004190075.tif 000002
は単結合または二重結合である、
で表される分解抑制剤を含む（但し、亜硫酸の金錯塩を含み、前記分解抑制剤がシトシンであり、ｐＨが６．０以下である場合を除く）、前記無電解金めっき液。
【手続補正２】
【補正対象書類名】明細書
【補正対象項目名】００１３
【補正方法】変更
【補正の内容】
【００１３】
式中、Ｒ１〜Ｒ４は、水素原子、置換基を有していてもよい炭素原子数１〜１０のアルキル基、置換基を有していてもよい炭素原子数６〜１０のアリール基、置換基を有していてもよい炭素原子数１〜１０のアルコキシ基、アミノ基(−ＮＨ２)、水酸基（−ＯＨ）、＝Ｏ、ハロゲン原子であり、
Ｒ２及びＲ３もしくはＲ３及びＲ４は互いに架橋して飽和環または不飽和環を形成してもよく、該飽和環又は不飽和環は、酸素原子、又は式−Ｎ（Ｒ５）−で示される基（式中、Ｒ５は、水素原子又は炭素原子数１〜１０のアルキル基である）で中断されていてもよく、
前記各置換基は、ハロゲン原子、シアノ基であり、
【外２】
2004190075.tif 000003
は単結合または二重結合である、
で表される分解抑制剤を含む（但し、亜硫酸の金錯塩を含み、前記分解抑制剤がシトシンであり、ｐＨが６．０以下である場合を除く）、前記無電解金めっき液に関する。
【手続補正書】
【提出日】平成17年12月6日(2005.12.6)
【手続補正１】
【補正対象書類名】明細書
【補正対象項目名】特許請求の範囲
【補正方法】変更
【補正の内容】
【特許請求の範囲】
【請求項１】  水を電気分解することによって同位体酸素を製造する方法であって、酸素発生過電圧が０．５Ｖ以上である電極を用いて電気分解する工程を含む同位体酸素の製造方法。
【請求項２】  酸素発生電極がダイヤモンド電極である、請求項１に記載の方法。
【請求項３】  定電流下に電気分解を行う、請求項１または２に記載の方法。
【請求項４】  電極単位面積当たりの電流密度が０．００５〜０．４０Ａ／ｃｍ2 の範囲にある、請求項３に記載の方法。
【請求項５】  さらに、触媒の存在下に、同位体酸素を含むガスを水素と反応させる工程を含む、請求項１〜４のいずれかに記載の方法。
【請求項６】  前記電気分解工程と前記同位体酸素含有ガスと水素との反応工程とを繰り返し行う、請求項１〜５のいずれかに記載の方法。
【請求項７】  さらに、蒸留工程および／または化学交換工程を含む、請求項１〜６のいずれかに記載の方法。
【請求項８】  請求項１〜７のいずれかに記載した方法により製造された同位体酸素。
【請求項９】  以下の工程１）および２）を含む重酸素水の製造方法。
１）請求項１〜４のいずれかに記載した方法を用いて同位体酸素を含むガスを製造する工程
２）触媒の存在下に、工程１）によって得られるガスと水素とを反応させる工程
【請求項１０】  前記工程１）と前記工程２）を繰り返し行う、請求項９に記載の方法。
【請求項１１】  前記触媒がアルミナ担体にパラジウムを担持した触媒である、請求項９または１０に記載の方法。
【請求項１２】  さらに、蒸留工程および／または化学交換工程を含む、請求項９〜１１のいずれかに記載の方法。
【請求項１３】  請求項９〜１２のいずれかに記載した方法により製造された重酸素水。
【請求項１４】  電解槽および再結合器からなる重酸素水製造器を複数備え、電解槽と再結合器は電解槽において生成したガスが再結合器に導入されるように接続されており、さらに再結合器において生成した重酸素水を含む水が、別の電解槽に導入されるように接続されている、同位体酸素もしくは重酸素水の製造装置。
【手続補正２】
【補正対象書類名】明細書
【補正対象項目名】００１０
【補正方法】変更
【補正の内容】
【００１０】
〔２〕  酸素発生電極がダイヤモンド電極である、上記〔１〕に記載の方法。
【手続補正３】
【補正対象書類名】明細書
【補正対象項目名】００１２
【補正方法】変更
【補正の内容】
【００１２】
〔４〕  電極単位面積当たりの電流密度が０．００５〜０．４０Ａ／ｃｍ2 の範囲にある、上記〔３〕に記載の方法。
【手続補正書】
【提出日】平成17年11月10日(2005.11.10)
【手続補正１】
【補正対象書類名】特許請求の範囲
【補正対象項目名】全文
【補正方法】変更
【補正の内容】
【特許請求の範囲】
【請求項１】
炉高方向で炉下部側から順に朝顔部、切立部およびシャフト部を備え、且つ炉下端側に羽口を備えたシャフト炉型冶金炉の炉高方向において、熱負荷が小さい炉上部・中部領域(A)には鋳鉄製ステーブを配置し、それよりも下方の熱負荷の大きい炉下部領域(B)及び炉最下部領域(C)には銅または銅合金製ステーブを配置したステーブ配置構造であって、
前記炉下部領域(B)が、朝顔部の上部領域、切立部の全部領域およびシャフト部の下部領域であり、前記炉最下部領域(C)が、羽口上方における朝顔部の下部領域であることを特徴とするシャフト炉型冶金炉のステーブ配置構造。
【手続補正２】
【補正対象書類名】明細書
【補正対象項目名】０００７
【補正方法】変更
【補正の内容】
【０００７】
本発明はこのような知見に基づきなされたもので、その特徴とするところは、炉高方向で炉下部側から順に朝顔部、切立部およびシャフト部を備え、且つ炉下端側に羽口を備えたシャフト炉型冶金炉の炉高方向において、熱負荷が小さい炉上部・中部領域(A)には鋳鉄製ステーブを配置し、それよりも下方の熱負荷の大きい炉下部領域(B)及び炉最下部領域(C)には銅または銅合金製ステーブを配置したステーブ配置構造であって、前記炉下部領域(B)が、朝顔部の上部領域、切立部の全部領域およびシャフト部の下部領域であり、前記炉最下部領域(C)が、羽口上方における朝顔部の下部領域であることを特徴とするシャフト炉型冶金炉のステーブ配置構造である。
【手続補正３】
【補正対象書類名】明細書
【補正対象項目名】０００８
【補正方法】削除
【補正の内容】
【手続補正書】
【提出日】平成17年12月5日(2005.12.5)
【手続補正１】
【補正対象書類名】明細書
【補正対象項目名】発明の名称
【補正方法】変更
【補正の内容】
【発明の名称】堆積膜形成装置及び堆積膜形成方法
【手続補正２】
【補正対象書類名】明細書
【補正対象項目名】特許請求の範囲
【補正方法】変更
【補正の内容】
【特許請求の範囲】
【請求項１】  減圧可能な容器内に設置された基体上に堆積膜を形成する堆積膜形成装置において、前記基体以外の堆積膜が付着する部分の少なくとも一部がセラミックス材料で形成され、該セラミックス部材は、少なくとも堆積膜が堆積する部分の表面を光学的に観察した場合においてセラミックスの結晶の粒界が表出した部分の面積が、結晶粒界が表出しない部分の面積との総和に対して７５％以下であることを特徴とする堆積膜形成装置。
【請求項２】  セラミックス部材は、少なくとも堆積膜が堆積する部分の表面を光学的に観察した場合においてセラミックスの結晶の粒界が表出した部分の面積が、結晶粒界の表出しない部分の面積との総和に対しての１０％以上７５％以下である請求項１記載の堆積膜形成装置。
【請求項３】  セラミックス部材の表面は、ブラスト加工によって粗面化された表面である請求項１又は２記載の堆積膜形成装置。
【請求項４】  セラミックス部材は、アルミナ、窒化アルミのうちのいずれかより形成されたものである請求項１〜３の何れか一項記載の堆積膜形成装置。
【請求項５】  セラミックス部材の少なくとも堆積膜が堆積する部分の表面粗さは、十点平均粗さ（Ｒｚ）が５μｍ以上２００μｍ以下の範囲内であり、平均傾斜角θａが５度以上４５度以下の範囲内である請求項１〜４の何れか一項記載の堆積膜形成装置。
【請求項６】  セラミックス部材は、減圧可能な容器の真空封止機能を有する壁面の一部を形成する請求項１〜５の何れか一項記載の堆積膜形成装置。
【請求項７】  減圧可能な容器に設置された基体上に堆積膜を形成する堆積膜形成方法において、前記基体以外の堆積膜が付着する部分の少なくとも一部に、少なくとも堆積膜が付着する部分の表面を光学的に観察した場合においてセラミックスの結晶粒界が表出した部分の面積が、結晶粒界が表出しない部分の面積との総和に対して７５％以下となるセラミックス部材を用いることを特徴とする堆積膜形成方法。
【請求項８】  セラミックス部材の表面を光学的に観察した場合においてセラミックスの結晶粒界が表出した部分の面積が、結晶粒界が表出しない部分の面積との総和に対して１０％以上７５％以下の範囲内であるセラミックス部材を用いる請求項７記載の堆積膜形成方法。
【請求項９】  セラミックス部材として、ブラスト加工によって粗面化された表面を持つセラミックス部材を用いる請求項７又は８記載の堆積膜形成方法。
【請求項１０】  セラミックス部材として、アルミナ、窒化アルミのいずれかより形成されたセラミックス部材を用いる請求項７〜９の何れか一項記載の堆積膜形成方法。
【請求項１１】  セラミックス部材として、少なくとも堆積膜が付着する部分の表面粗さは、十点平均粗さ（Ｒｚ）が５μｍ以上２００μｍ以下の範囲内であり、平均傾斜角θａが５度以上４５度以下の範囲内である請求項７〜１０の何れか一項記載の堆積膜形成方法。
【請求項１２】  セラミックス部材を、堆積膜形成装置の真空封止機能を有する壁面部材として用いる請求項７〜１１の何れか一項記載の堆積膜形成方法。
【手続補正３】
【補正対象書類名】明細書
【補正対象項目名】０００１
【補正方法】変更
【補正の内容】
【０００１】
【発明の属する技術分野】
本発明は、基体上に堆積膜、とりわけ機能性堆積膜を形成する為の装置及び方法に関する。本発明は、特に半導体デバイス、電子写真用光受容部材、画像入力用ラインセンサー、撮像デバイス、光起電力デバイスアモルファス半導体の堆積膜の形成に有用である。
【手続補正４】
【補正対象書類名】明細書
【補正対象項目名】００１６
【補正方法】変更
【補正の内容】
【００１６】
すなわち、本発明の目的は、堆積膜形成装置内部のセラミックス部材からの膜剥がれを防止し、かつ、使用を繰り返すことによるセラミックス部材の減摩を抑制できる堆積膜形成装置及び堆積膜形成方法を提供することにある。
【手続補正書】
【提出日】平成17年12月13日(2005.12.13)
【手続補正１】
【補正対象書類名】明細書
【補正対象項目名】０００８
【補正方法】変更
【補正の内容】
【０００８】
ここで、反応粉体コンクリートとは、セメントを基材とし、反応性微粉末（シリカフューム）などから構成されたコンクリートであり、高性能減水剤を使用し高流動性を持ち、締め固めを必要としない自己充填コンクリートである。反応粉体コンクリートの圧縮強度は１５０〜２００Ｎ／ｍｍ２で、通常のコンクリートの５〜１０倍、曲げ強度は通常のコンクリートの１０〜１５倍の強度を持ち、特殊な繊維で補強することにより繊維が引張に抵抗し、高い靱性が確保される。
【手続補正書】
【提出日】平成17年10月13日(2005.10.13)
【手続補正１】
【補正対象書類名】明細書
【補正対象項目名】００１０
【補正方法】変更
【補正の内容】
【００１０】
本発明の仮設式である点字シート１Ａと点字シート１Ｂは、適当に組み合わせて歩道に並べて置くだけで、図９に示されるように、工事現場１３の仮設歩道１２上に、従来品と効果が同等である視覚障害者誘導用ブロック１１を簡単に設置することができる。現状位置を表示する点字シート１Ｂは、あらかじめ必要な点状ブロック及び線状ブロックが適切に配置されているので、現場で配置決めする時間を省け便利である。そのため、従来品の視覚障害者誘導用ブロック１１に比べ、施設時間は大幅に短縮できて工事費を削減することができ、さらに、使用後は現状のままで撤収できるので、繰り返し何回でも再利用することができ、総合的にコストを削減できるメリットがある。従って、工事期間が短期間あるいは短時間の工事現場においても、シ−ト状なので短時間で敷設することができ、しかも仮設式なので歩道に固定する必要がなく、全体的に設置費用も安くできるので使いやすく、工事現場の安全性の向上に役立つものである。
【手続補正２】
【補正対象書類名】明細書
【補正対象項目名】００１３
【補正方法】変更
【補正の内容】
【００１３】
本発明の点字シート１を構成する線状ブロック３は、厚み０、７５ｍｍで３０ｃｍ角のＥＶＡ樹脂のベースシート５に、５ｍｍ厚みで１２×２８０ｍｍの寸法の加硫ゴム板から成る平板状の線状突起６を４本両面テープ等で仮止めし、その上に、別の厚み２ｍｍで３０ｃｍ角のＥＶＡ樹脂の帆布シート（布地で強化されたＥＶＡ樹脂シート）から成る黄色の保護シート７を重ね、図３に示されるような金型（ベースシート５と保護シート７は、接着部１０で熔着される）を使用し高周波ウエルダ−で融着加工されて製造される。前記線状ブロック３は、図１に示されるように、５ｍｍ厚みの線状突起６の４本を担持しており、夫々の線状突起６は、ベースシート５及び保護シート７の上下２枚のシートの間に封入され、強靭な保護シート７で保護されているので、外部の衝撃によって破壊されたり、剥離することは防止される。
【手続補正３】
【補正対象書類名】明細書
【補正対象項目名】００１４
【補正方法】変更
【補正の内容】
【００１４】
また、ここで使用されている加硫ゴム板は、柔軟なのでシ−ト状の点字シート１を丸めて保管することが可能となって便利であり、しかも十分な高度を持っているので、相当の重みによる変形にも耐えられる。加硫ゴムは、本発明点字シート１にとって最も好ましい素材ではあるが、ポリウレタンなど他の材料であっても差し支えなく、加硫ゴムに限定されないことは言うまでもないが、耐熱性及び耐寒性のある材料が好ましい。また、本発明に使用される線状突起６及び点状突起８は、汎用の加硫ゴムから成る平板から打ち抜いて作られるので、加工も易しく加工費も安い。
【手続補正４】
【補正対象書類名】明細書
【補正対象項目名】００１５
【補正方法】変更
【補正の内容】
【００１５】
同様に、本発明の点字シート１を構成する点状ブロック４は、厚み０、７５ｍｍで３０ｃｍ角のＥＶＡ樹脂のベースシート５に、５ｍｍ厚みで直径１２ｍｍの加硫ゴム板から成る円筒状の点状突起８を２５個両面テープ等で６ｃｍ間隔に仮止めし、その上に、別の厚み２ｍｍで３０ｃｍ角のＥＶＡ樹脂の帆布シート（布地で強化されたＥＶＡ樹脂シート）から成る黄色の保護シート７を重ね、図４に示されるような金型（ベースシート５と保護シート７は、接着部１０で熔着される）を用いて高周波ウエルダ−で融着加工されて製造される。前記点状ブロック４は、図７に示されるように、５ｍｍ厚みからなる２５個の点状突起８を担持しており、前記夫々の点状突起８は、図８に示されるように、ベースシート５及び保護シート７から成る上下２枚のシートの間に封入され、強靭な保護シート７で保護されているので、外部の衝撃によって破壊されたり、剥離することは防止される。
【手続補正書】
【提出日】平成18年3月17日(2006.3.17)
【手続補正１】
【補正対象書類名】明細書
【補正対象項目名】特許請求の範囲
【補正方法】変更
【補正の内容】
【特許請求の範囲】
【請求項１】  仮想空間において、複数のポイントとポイント相互間を接続するラインとを含むネットワークを形成するネットワーク形成手段と、
形成した前記ネットワークの形態を画面に表示させる手段と、
操作者の入力操作に応じて、前記ポイントまたは前記ラインに沿ってカーソルを移動させ、前記複数のポイントの中からカーソルによって選択されたポイントを決定し、決定された前記ポイントに対応して予め定められたプログラムを実行する実行手段と、
を有し、
前記ポイントごとにキャラクタ情報が割り当てられており、
前記プログラムは、前記キャラクタとの新密度パラメータを決定するためのパラメータ決定プログラム、前記キャラクタから送信される電子メールを閲覧するための閲覧プログラム、および、決定された前記ポイントの選択を解除するための解除プログラムを含んでおり、
前記実行手段は、前記操作者の入力操作により前記パラメータ決定プログラムの実行要求があった場合に、前記画面に表示するゲーム画像を生成するとともに、前記新密度パラメータを決定するためのゲーム成績を算出する処理を実行し、前記操作者の入力操作により前記閲覧プログラムの実行要求があった場合に、前記画面に表示するメール閲覧画像を生成するとともに、前記キャラクタから送信された電子メールの着信有無を判定して未読メールがあれば該未読メールを閲覧させる処理を実行する、
コンピュータシステム。
【請求項２】  仮想空間において、複数のポイントとポイント相互間を接続するラインとを含むネットワークを形成するネットワーク形成手段と、
形成した前記ネットワークの形態を画面に表示させる手段と、
操作者の入力操作に応じて、前記ポイントまたは前記ラインに沿ってカーソルを移動させ、前記複数のポイントの中からカーソルによって選択されたポイントを決定し、決定された前記ポイントに対応して予め定められたプログラムを実行する実行手段と、
を有し、
前記ポイントごとにキャラクタの情報が割り当てられており、
前記プログラムは、前記キャラクタとの新密度パラメータを決定するためのパラメータ決定プログラム、前記キャラクタから送信される電子メールを閲覧するための閲覧プログラム、および、決定された前記ポイントの選択を解除するための解除プログラムを含んでおり、
前記実行手段は、前記操作者の入力操作により前記パラメータ決定プログラムの実行要求があった場合に、前記画面に表示するゲーム画像を生成するとともに、前記新密度パラメータを決定するためのゲーム成績を算出する処理を実行し、前記ゲームプログラムの終了後に前記閲覧プログラムを実行して、前記画面に表示するメール閲覧画像を生成するとともに、前記キャラクタから送信された電子メールの着信有無を判定して未読メールがあれば該未読メールを閲覧させる処理を実行する、
コンピュータシステム。
【請求項３】  仮想空間において、複数のポイントとポイント相互間を接続するラインとを含むネットワークを形成するネットワーク形成手段と、
形成した前記ネットワークの形態を画面に表示させる手段と、
操作者の入力操作に応じて、前記ポイントまたは前記ラインに沿ってカーソルを移動させ、前記複数のポイントの中からカーソルによって選択されたポイントを決定し、決定された前記ポイントに対応して予め定められたプログラムを実行する実行手段と、
を有し、
前記ポイントごとにキャラクタの情報が割り当てられており、
前記プログラムは、前記キャラクタのゲームパラメータを変化させるためのパラメータ変化プログラム、前記キャラクタから送信される電子メールを閲覧するための閲覧プログラム、および、決定された前記ポイントの選択を解除するための解除プログラムを含んでおり、
前記実行手段は、前記操作者の入力操作により前記パラメータ変化プログラムの実行要求があった場合に、前記画面に表示するゲーム画像を生成するとともに、前記ゲームパラメータを決定するためのゲーム成績を算出する処理を実行し、前記操作者の入力操作により前記閲覧プログラムの実行要求があった場合に、前記画面に表示するメール閲覧画像を生成するとともに、前記キャラクタから送信された電子メールの着信有無を判定して未読メールがあれば該未読メールを閲覧させる処理を実行し、前記操作者の入力操作により前記解除プログラムの実行要求があった場合に、前記ポイントの選択を解除するとともに、前記画面を前記操作者が他のポイントを選択するための前記ネットワーク形態が表示された画面に戻す処理を実行する、
コンピュータシステム。
【請求項４】  前記ネットワーク形成手段は、前記ポイントにおいて前記キャラクタから送信されたメールの着信があった場合に、未読メールが存在することを示すマークを新たに形成する、
請求項１乃至３のいずれか１項に記載のコンピュータシステム。
【請求項５】  前記ネットワーク形成手段は、前記ゲーム成績に応じて、決定された前記ポイントとラインにより接続された一つ又は複数のポイントを新たに形成して前記ネットワークに追加する、
請求項１乃至４のいずれか１項に記載のコンピュータシステム。
【請求項６】  前記各ポイントのキャラクタは、複数種類に分類されており、前記ネットワークには、同一分類に属するキャラクタが連続的に出現する領域が設けられる、
請求項１乃至５のいずれか１項に記載のコンピュータシステム。
【請求項７】  前記各ポイントに対応して予め定められた前記プログラムは複数種類に分類されており、前記ネットワークには、同一分類に属するゲームプログラムに対応付けられたポイントが連続的に出現する領域が設けられる、
請求項１乃至６のいずれか１項に記載のコンピュータシステム。
【手続補正書】
【提出日】平成18年2月28日(2006.2.28)
【手続補正１】
【補正対象書類名】明細書
【補正対象項目名】特許請求の範囲
【補正方法】変更
【補正の内容】
【特許請求の範囲】
【請求項１】  画像を生成するためのゲーム装置であって、
オブジェクト空間内の所与の視点でのゲーム画像を生成するための手段と、
少なくとも１つのオーバーレイ表示物を前記ゲーム画像に重ね合わせて前記ゲーム画像上の所与の位置に表示するための手段と、
前記オーバーレイ表示物を表示するか非表示にするかをプレーヤが選択するための選択手段と、
前記選択手段を用いて行うプレーヤの選択操作により、前記オーバーレイ表示物の表示、非表示をプレーヤが所望するように切り替えるための手段と、
を含むことを特徴とするゲーム装置。
【請求項２】  請求項１において、
オーバーレイ表示物が複数ある場合に、前記選択手段を用いたプレーヤの選択操作により、前記複数のオーバーレイ表示物の中の一部のオーバーレイ表示物の表示、非表示が切り替わることを特徴とするゲーム装置。
【請求項３】  画像を生成するためのゲーム装置であって、
オブジェクト空間内の所与の視点でのゲーム画像を生成するための手段と、
少なくとも１つのオーバーレイ表示物を前記ゲーム画像に重ね合わせて前記ゲーム画像上の所与の位置に表示するための手段と、
前記オーバーレイ表示物の透明度をプレーヤが調整するための調整手段と、
前記調整手段を用いて行うプレーヤの調整操作により、前記オーバーレイ表示物の透明度をプレーヤが所望するように変化させるための手段と、
を含むことを特徴とするゲーム装置。
【請求項４】  請求項３において、
前記調整手段を用いたプレーヤの調整操作により、前記オーバーレイ表示物の透明度が段階的に又は連続的に変化することを特徴とするゲーム装置。
【請求項５】  画像を生成するためのゲーム装置であって、
オブジェクト空間内の所与の視点でのゲーム画像を生成するための手段と、
少なくとも１つのオーバーレイ表示物を前記ゲーム画像に重ね合わせて前記ゲーム画像上の所与の位置に表示するための手段と、
前記オーバーレイ表示物の種類をプレーヤが選択するための選択手段と、
前記選択手段を用いて行うプレーヤの選択操作により、前記オーバーレイ表示物の種類をプレーヤが所望するように切り替えるための手段と、
を含むことを特徴とするゲーム装置。
【請求項６】  請求項１乃至５のいずれかにおいて、
前記オーバーレイ表示物が、ゲーム成績情報をプレーヤに知らせるための表示物、コース情報をプレーヤに知らせるための表示物、移動体の走行情報をプレーヤに知らせるための表示物、操作目標情報をプレーヤに知らせるための表示物、操作指示情報をプレーヤに知らせるための表示物、及び移動体のコックピットを表す表示物の少なくとも１つであることを特徴とするゲーム装置。
【請求項７】  画像を生成するためのゲーム装置であって、
オブジェクト空間内で移動体を移動させる演算を行うための手段と、
オブジェクト空間内の所与の視点でのゲーム画像であって前記移動体が視野内に入るゲーム画像を生成するための手段と、
前記移動体の透明度をプレーヤが調整するための調整手段と、
前記調整手段を用いて行うプレーヤの調整操作により、前記移動体の透明度をプレーヤが所望するように変化させるための手段と、
を含むことを特徴とするゲーム装置。
【請求項８】  請求項７において、
前記調整手段を用いたプレーヤの調整操作により、前記移動体の透明度が段階的に又は連続的に変化することを特徴とするゲーム装置。
【請求項９】  コンピュータにより画像を生成するためのプログラムが記憶された情報記憶媒体であって、
オブジェクト空間内の所与の視点でのゲーム画像を生成するための手段と、
少なくとも１つのオーバーレイ表示物を前記ゲーム画像に重ね合わせて前記ゲーム画像上の所与の位置に表示するための手段と、
前記オーバーレイ表示物を表示するか非表示にするかをプレーヤが選択するための選択手段と、
前記選択手段を用いて行うプレーヤの選択操作により、前記オーバーレイ表示物の表示、非表示をプレーヤが所望するように切り替えるための手段と、
を実現するためのプログラムを含むことを特徴とする情報記憶媒体。
【請求項１０】  請求項９において、
オーバーレイ表示物が複数ある場合に、前記選択手段を用いたプレーヤの選択操作により、前記複数のオーバーレイ表示物の中の一部のオーバーレイ表示物の表示、非表示が切り替わることを特徴とする情報記憶媒体。
【請求項１１】  コンピュータにより画像を生成するためのプログラムが記憶された情報記憶媒体であって、
オブジェクト空間内の所与の視点でのゲーム画像を生成するための手段と、
少なくとも１つのオーバーレイ表示物を前記ゲーム画像に重ね合わせて前記ゲーム画像上の所与の位置に表示するための手段と、
前記オーバーレイ表示物の透明度をプレーヤが調整するための調整手段と、
前記調整手段を用いて行うプレーヤの調整操作により、前記オーバーレイ表示物の透明度をプレーヤが所望するように変化させるための手段と、
を実現するためのプログラムを含むことを特徴とする情報記憶媒体。
【請求項１２】  請求項１１において、
前記調整手段を用いたプレーヤの調整操作により、前記オーバーレイ表示物の透明度が段階的に又は連続的に変化することを特徴とする情報記憶媒体。
【請求項１３】  コンピュータにより画像を生成するためのプログラムが記憶された情報記憶媒体であって、
オブジェクト空間内の所与の視点でのゲーム画像を生成するための手段と、
少なくとも１つのオーバーレイ表示物を前記ゲーム画像に重ね合わせて前記ゲーム画像上の所与の位置に表示するための手段と、
前記オーバーレイ表示物の種類をプレーヤが選択するための選択手段と、
前記選択手段を用いて行うプレーヤの選択操作により、前記オーバーレイ表示物の種類をプレーヤが所望するように切り替えるための手段と、
を実現するためのプログラムを含むことを特徴とする情報記憶媒体。
【請求項１４】  請求項９乃至１３のいずれかにおいて、
前記オーバーレイ表示物が、ゲーム成績情報をプレーヤに知らせるための表示物、コース情報をプレーヤに知らせるための表示物、移動体の走行情報をプレーヤに知らせるための表示物、操作目標情報をプレーヤに知らせるための表示物、操作指示情報をプレーヤに知らせるための表示物、及び移動体のコックピットを表す表示物の少なくとも１つであることを特徴とする情報記憶媒体。
【請求項１５】  コンピュータにより画像を生成するためのプログラムが記憶された情報記憶媒体であって、
オブジェクト空間内で移動体を移動させる演算を行うための手段と、
オブジェクト空間内の所与の視点でのゲーム画像であって前記移動体が視野内に入るゲーム画像を生成するための手段と、
前記移動体の透明度をプレーヤが調整するための調整手段と、
前記調整手段を用いて行うプレーヤの調整操作により、前記移動体の透明度をプレーヤが所望するように変化させるための手段と、
を実現するためのプログラムを含むことを特徴とする情報記憶媒体。
【請求項１６】  請求項１５において、
前記調整手段を用いたプレーヤの調整操作により、前記移動体の透明度が段階的に又は連続的に変化することを特徴とする情報記憶媒体。
【手続補正書】
【提出日】平成18年3月17日(2006.3.17)
【手続補正１】
【補正対象書類名】明細書
【補正対象項目名】特許請求の範囲
【補正方法】変更
【補正の内容】
【特許請求の範囲】
【請求項１】  コンロを擬似した形状を備え、調理用具の載置の有無を入力し、前記調理用具に振動を与える振動機構を有するコンロ状入力装置と、
前記コンロの火力を調節するツマミを擬似した火力調整ツマミ状入力装置と、
前記コンロ入力装置及び前記火力調整ツマミ状入力装置から出力された信号に基づいて、所望の画像処理及び音声処理並びに前記振動機構の制御を行う制御回路と、
を備え、
前記制御回路は、前記コンロ状入力装置に前記調理具が載置され、かつ、前記火力調整ツマミ状入力装置から出力された信号が所定の値を満たした際に前記振動機構を振動させると共に、音声及び／又は画像を構成する信号を出力再生装置に出力する、
ことを特徴とする音声又は画像処理システム。
【請求項２】  前記振動機構は、前記調理用具と係合する係合部を有し、
前記調理用具には、前記係合部と係合する被係合部が形成されており、
前記係合部と前記被係合部との係合関係は、凹部と凸部により構成される、
ことを特徴とする請求項１記載の音声又は画像処理システム。
【請求項３】  まな板を擬似した形状を備え、該まな板の中央から一方側に偏心した支点を有し、該まな板の他方側が上方に付勢されて該まな板が揺動自在に設けられ、かつ、該まな板の揺動を入力するまな板状入力装置を備え、
前記制御回路は、前記まな板状入力装置から出力される信号の時間間隔に応じて仮想食材の切れた大きさを変化させる処理を行うと共に、音声及び／又は画像を構成する信号を前記出力再生装置に出力する、
ことを特徴とする請求項１又は２記載の音声又は画像処理システム。
【請求項４】   水の放出及び停止を行う水道を擬似した水道入力装置を備え、
前記制御回路は、前記水道入力装置のオン状態を示すオン信号と、オフ状態を示すオフ信号との間隔に応じて前記水道から水が流れる映像、及び／又は、食材を洗う音を構成する信号を前記出力再生装置に出力する、
ことを特徴とする請求項１〜３のいずれか１項記載の音声又は画像処理システム。
【請求項５】  前記コンロ状入力装置、前記まな板状入力装置、前記水道入力装置、及びシンクが一体的に配置された仮想調理台を備え、
前記コンロ状装置は、前記シンクの側方に配置され、
前記水道入力装置は、前記シンクの奥側に配置され、
前記まな板状入力装置は、前記シンクの手前側で前記水道入力装置よりも低い位置に配置された、
ことを特徴とする請求項４記載の音声又は画像処理システム。
【請求項６】  前記各入力装置が配置されている面より低い位置に配置され、かつ、下端部が前記各入力装置の筐体の底面から突出したボタンを備え、
前記ボタンは、当該音声又は画像処理システムの本体上に形成された入力部を直接押圧可能に設けられており、かつ、前記出力再生装置に表示されたメニューの内容を選択し、選択した内容を決定するためのものである、
ことを特徴とする請求項１〜５のいずれか１項記載の音声又は画像処理システム。
【手続補正書】
【提出日】平成18年3月15日(2006.3.15)
【手続補正１】
【補正対象書類名】明細書
【補正対象項目名】特許請求の範囲
【補正方法】変更
【補正の内容】
【特許請求の範囲】
【請求項１】    配列番号１に示すアミノ酸配列からなるタンパク質、又はこの配列において１もしくは数個のアミノ酸が欠失、置換もしくは付加されたアミノ酸配列からなり、かつプロトペクチナーゼ活性を有するタンパク質。
【請求項２】    シグナルペプチドがさらに付加されてなる請求項１に記載のタンパク質。
【請求項３】    配列番号２に示すアミノ酸配列からなるタンパク質、又はこの配列において１もしくは数個のアミノ酸が欠失、置換もしくは付加されたアミノ酸配列からなり、かつプロトペクチナーゼ活性を有するタンパク質をコードする請求項２に記載のタンパク質。
【請求項４】    1)プロトペクチナーゼ活性を有し；2)SDS-ポリアクリルアミドゲル電気泳動ゲル上での分子量が約43,000であり；3)至適pHが 8.0であり；4)至適温度が60℃であり；かつ5)Cu、Hg、Mn及びZnにより阻害を受ける性質を有する請求項１〜３のいずれか１つに記載のタンパク質。
【請求項５】    請求項１〜４のいずれか１つに記載のタンパク質をコードする遺伝子。
【請求項６】    配列番号３に示す配列の塩基番号 358〜1557で表される塩基配列を有する請求項５に記載の遺伝子。
【請求項７】    請求項５又は６に記載の遺伝子を含有する組換えベクター。
【請求項８】    請求項７に記載の組換えベクターを含む形質転換体。
【請求項９】    形質転換体の宿主が、微生物である請求項８に記載の形質転換体。
【請求項１０】  請求項８又は９に記載の形質転換体を用いる請求項１に記載のタンパク質の製造方法。
【請求項１１】  請求項８又は９に記載の形質転換体を製造する方法。
【請求項１２】  請求項８又は９に記載の形質転換体を用いるセルロース繊維の精練方法。
【請求項１３】  請求項１２に記載の方法により処理されたセルロース繊維。
【手続補正書】
【提出日】平成18年3月7日(2006.3.7)
【手続補正１】
【補正対象書類名】明細書
【補正対象項目名】特許請求の範囲
【補正方法】変更
【補正の内容】
【特許請求の範囲】
【請求項１】被写体を照明するための光源から発せられる照明光の光路上に設けられ第１の波長帯域の光を通過させる第１の波長制限手段と、
前記照明光の光路上に設けられ前記第１の波長帯域と中心波長が略同じで帯域幅が異なる第２の波長帯域の光を通過させる第２の波長制限手段と、
前記第１の波長制限手段を通過して前記被写体に照射される光の量と前記第２の波長制限手段を通過して前記被写体に照射される光の量との割合を変化させる手段と、
を備えたことを特徴とする内視鏡装置。  
【手続補正２】
【補正対象書類名】明細書
【補正対象項目名】０００６
【補正方法】変更
【補正の内容】
【０００６】
本発明は、これらの事情に鑑みてなされたもので、狭い帯域幅の光による観察画像を得て精度良く酸素飽和度等の生体機能情報が得られるとともに、被写体の距離が遠いときに十分に明るくノイズが少ない観察画像を得ることができる内視鏡装置を提供することを目的とする。
【手続補正３】
【補正対象書類名】明細書
【補正対象項目名】０００７
【補正方法】変更
【補正の内容】
【０００７】
前記目的を達成するため本発明の一態様による内視鏡装置は、被写体を照明するための光源から発せられる照明光の光路上に設けられ第１の波長帯域の光を通過させる第１の波長制限手段と、前記照明光の光路上に設けられ前記第１の波長帯域と中心波長が略同じで帯域幅が異なる第２の波長帯域の光を通過させる第２の波長制限手段と、前記第１の波長制限手段を通過して前記被写体に照射される光の量と前記第２の波長制限手段を通過して前記被写体に照射される光の量との割合を変化させる手段と、を備えている。
【手続補正４】
【補正対象書類名】明細書
【補正対象項目名】００９６
【補正方法】変更
【補正の内容】
【００９６】
【発明の効果】
以上説明したように、本発明によれば、狭い帯域幅の光による観察画像を得て精度良く酸素飽和度等の生体機能情報が得られるとともに、被写体の距離が遠いときに十分に明るくノイズが少ない観察画像を得ることができる効果を有する。
【手続補正書】
【提出日】平成18年3月15日(2006.3.15)
【手続補正１】
【補正対象書類名】明細書
【補正対象項目名】特許請求の範囲
【補正方法】変更
【補正の内容】
【特許請求の範囲】
【請求項１】  釣り糸（２）が包装材（３）にて密封包装され、且つ、前記包装材（３）の内側には乾燥剤（９）が入れられてなることを特徴とする釣り糸包装体。
【請求項２】  前記釣り糸（２）はスプール（１）に巻回され、スプール（１）に前記乾燥剤（９）が内蔵されてなり、釣り糸（２）が巻回されたスプール（１）が前記包装材（３）で密封包装されてなる請求項１記載の釣り糸包装体。
【請求項３】  前記包装材（３）が紫外線を遮断可能な合成樹脂フィルムである請求項１又は２記載の釣り糸包装体。